(57)【要約】【課題】様々な寸法の消火器を保持できる設置の簡便な消火器保持具を提供する。【解決手段】自立する消火器を保持する消火器保持具であって、前記消火器が置かれる基台と、前記消火器を保持する保持部材とを備え、前記保持部材が前記消火器を中に収めるリングと該リングを壁面へ接続する接続部材を有し、前記接続部材が前記壁面へ固定される接着層を有する。【選択図】図１
2020124366.tif 000002
【特許請求の範囲】
【請求項１】
自立する消火器を保持する消火器保持具であって、前記消火器が置かれる基台と、前記消火器を保持する保持部材とを備え、
前記保持部材が前記消火器を中に収めるリングと該リングを建物や什器の壁面へ接続する接続部材を有し、
前記接続部材が前記壁面へ固定される接着層を有することを特徴とする消火器保持具。
【請求項２】
前記リングが剛性の高い合成樹脂帯と柔軟な合成樹脂布帯を重ね合わせた２重帯であることを特徴とする請求項１に記載の消火器保持具。
【請求項３】
前記基台の上面に滑り止め部材が設けられることを特徴とする請求項1又は２に記載の消火器保持具。
【請求項４】
前記基台の下面に接着部材が設けられることを特徴とする請求項1乃至３の何れかに記載の消火器保持具。
【請求項５】
前記基台のほぼ中央部に前記基台を回転剥離するための穴が設けられることを特徴とする請求項1乃至４の何れかに記載の消火器保持具。
【請求項６】
前記接続部材が前記２重帯を挿通する挿通部を備え、該挿通部に挿通された前記２重帯の面に対向する天井面に切り欠きが設けられ、該切り欠きに嵌って回転するロックつまみを有し、該ロックつまみの延長部が前記天井面と前記２重帯の間へ入り、前記２重帯を前記挿通部の底面へ押し付けて係止することを特徴とする請求項２乃至５の何れかに記載の消火器保持具。
【請求項７】
前記ロックつまみと前記２重帯の間にプレスプレートが設けられ、該プレスプレートの前記２重帯に接する面に弾性体が付着されるとともに、前記挿通部の底面の前記２重帯に接する面に弾性体が付着されることを特徴とする請求項６に記載の消火器保持具。
【請求項８】
前記接続部材が該接続部材を前記壁面へ固定する接着層を有するとともに前記２重帯を挿通する挿通部を備え、該挿通部に挿通された前記２重帯と該挿通部とが接着で係止されることを特徴とする請求項２乃至５の何れかに記載の消火器保持具。
【発明の詳細な説明】
【技術分野】
【０００１】
本発明は、消火器を簡便に保持する消火器保持具に関する。
【背景技術】
【０００２】
従来、消火器を保持する器具が種々提案されている。
【０００３】
たとえば、特許文献１に開示されている組み立て式消火器スタンドは３枚の板を互いに直角に組み立てて自立させ、その中に消火器を収めるものである。
【０００４】
特許文献２及び特許文献３には埋め込み式の消火器ケースが開示されている。
【先行技術文献】
【特許文献】
【０００５】
【特許文献１】特開２０１５−５８２６４
【特許文献２】特開２００２−３３６３６９
【特許文献３】特開２００２−８５５７９
【発明の概要】
【発明が解決しようとする課題】
【０００６】
しかしながら、引用文献１に開示された発明は３枚の部材を用意して５か所で結合する手間が必要になるという問題点がある。
【０００７】
引用文献２及び３に開示された発明は、ともに壁に埋め込み前面に扉を用意するなど構造が複雑で埋め込み工事が必要になるという問題点がある。またケースの大きさで決まる収納可能な消火器の寸法の範囲が狭いという問題点もある。
【０００８】
この発明の目的は、上述した事情に鑑みて様々な寸法の消火器を保持できる設置の簡便な消火器保持具を提供することである。
【課題を解決するための手段】
【０００９】
請求項１に記載の消火器保持具は、自立する消火器を保持する消火器保持具であって、前記消火器が置かれる基台と、前記消火器を保持する保持部材とを備え、前記保持部材が前記消火器を中に収めるリングと該リングを建物や什器の壁面へ接続する接続部材を有し、前記接続部材が前記壁面へ固定される接着層を有することを特徴とする。
【００１０】
消火器が置かれる基台と、前記消火器を保持する保持部材とを備え、前記保持部材が前記消火器を中に収めるリングと該リングを前記壁面へ接続する接続部材を有し前記接続部材が前記壁面へ接着により固定されるので大きさや高さの異なる消火器を容易に設置することができる。
【００１１】
請求項２に記載の消火器保持具は、前記リングが剛性の高い合成樹脂帯と柔軟な合成樹脂布帯を重ね合わせた２重帯であることを特徴とする請求項１に記載の消火器保持具である。
【００１２】
リングが剛性の高い合成樹脂帯と柔軟な合成樹脂布帯を重ね合わせた２重帯なので、高い保持力を有するとともに安価な製造が可能になる。
【００１３】
請求項３に記載の消火器保持具は、請求項１又は２に記載の消火器保持具において、前記基台の上面に滑り止め部材が設けられることを特徴とする。
【００１４】
基台の上面に滑り止め部材が設けられるので、地震などで消火器が置かれた場所が揺れるときに消火器の下部とリングの有上部とが同じ様に動くので消火器が倒れ難い。
【００１５】
請求項４に記載の消火器保持具は、請求項１乃至３何れか１項に記載の消火器保持具において、前記基台の下面に接着部材が設けられることを特徴とする。
【００１６】
基台の下面に接着部材が設けられるので、消火器保持具が安定に床などへ設置され消火器が安定に保持される。
【００１７】
請求項５に記載の消火器保持具は、請求項１乃至４何れか１項に記載の消火器保持具において、前記基台のほぼ中央部に前記基台を回転剥離するための穴が設けられることを特徴とする。
【００１８】
基台のほぼ中央部に前記基台を回転剥離するための穴が設けられるので消火器保持具を外す際に、基台に設けられた穴へ剥離治具を装着して回転することで容易に消火器保持具を床から外すことができる。
【００１９】
請求項６に記載の消火器保持具は、請求項２乃至５何れか１項に記載の消火器保持具において、前記接続部材が前記２重帯を挿通する挿通部を備え、該挿通部に挿通された前記２重帯の面に対向する天井面に切り欠きが設けられ、該切り欠きに嵌って回転するロックつまみを有し、該ロックつまみの延長部が前記天井面と前記２重帯の間へ入り、前記２重帯を前記挿通部の底面へ押し付けて係止することを特徴とする。
【００２０】
続部材が前記２重帯を挿通する挿通部を備え、該挿通部に挿通された前記２重帯の面に対向する天井面に切り欠きが設けられ、該切り欠きに嵌って回転するロックつまみを有し、該ロックつまみの延長部が前記天井面と前記２重帯の間へ入り、前記２重帯を前記挿通部の底面へ押し付けて係止するので、２重帯を構成する部材の前加工が不要になり安価な製造が可能になる。
【００２１】
請求項７に記載の消火器保持具は、請求項６に記載の消火器保持具について、前記ロックつまみと前記２重帯の間にプレスプレートが設けられ、該プレスプレートの前記２重帯に接する面に弾性体が付着されるとともに、前記挿通部の底面の前記２重帯に接する面に弾性体が付着されることを特徴とする。
【００２２】
ロックつまみと２重帯の間にプレスプレートが設けられ、該プレスプレートの前記２重帯に接する面に弾性体が付着されるとともに、挿通部の底面の前記２重帯に接する面に弾性体が付着されるので２重帯が接続部へ確実に係止される。
【００２３】
請求項８に記載の消火器保持具は、請求項２乃至５何れか１項に記載の消火器保持具において、前記接続部材が該接続部材を前記壁面へ固定する接着層を有するとともに前記２重帯を挿通する挿通部を備え、該挿通部に挿通された前記２重帯と該挿通部とが接着で係止されることを特徴とする請求項２乃至５何れか1項に記載の消火器保持具。
【００２４】
接続部材が該接続部材を前記壁面へ固定する接着層を有するとともに前記２重帯を挿通する挿通部を備え、該挿通部に挿通された２重帯と該挿通部とが接着で係止されるので構成部品が少なく安価な消火器保持具を提供することができる。
【図面の簡単な説明】
【００２５】
【図１】本発明に係る消火器保持具に消火器を設置した場合の説明図である。
【図２】実施例１の保持部材の説明図である。
【図３】実施例１の保持部材の組み立て図である。
【図４】実施例２の保持部材の組み立て図である。
【図５】ロック部材の説明図である。
【図６】接着式の接合部の説明図である。
【図７】挿通部と２重帯を接着で係止する場合の説明図である。
【図８】接着式の消火器保持具に消火器を設置した説明図である。
【図９】基台の構造に関する説明図である。
【発明を実施するための形態】
【００２６】
以下、本発明の消火器保持具１０の実施形態を図面に基づいて説明する。図１を用いて本発明に係る消火器保持具へ消火器を設置した様子を説明する。消火器保持具１０は床３０などに置かれて消火器を載せる基台２０と消火器の転倒を防止する保持部材となるリングにより構成される。
【００２７】
リングは接続部材により建物や什器の壁面へ接続される。接続部材は壁面へ接着により固定される。接着は接着剤を用いても良いが、両面テープを用いることが好適である。
【００２８】
消火器を消火器保持具へ設置する際は、設置場所へ基台２０を置き、接続部材の高さを消火器の高さに合わせて固定して、リングの中へ自立する消火器を収めて消火器を設置する。
【００２９】
図２は第１実施例の消火器保持具の斜視図で、剛性の高い合成樹脂帯と柔軟な合成樹脂布帯を重ね合わせた２重帯になったリングをリングプレート、補強プレートなどを使って壁面へ固定する。壁面への固定は接着面２１を用いて接着剤や両面テープを用いて接着により行う。
【００３０】
第１実施例の消火器保持具の組立図である図３を用いて説明する。ナイロンなどの耐摩耗性の高い合成樹脂帯１１、例えばナイロンベルトの両端をフックの保持部材へ通して縫製で取り付ける。これに剛性の高い合成樹脂帯、例えば塩化ビニール製の塩ビベルトをリング状のナイロンベルトの外側から接着して一体化して２重帯にする。
【００３１】
さらに、先端が開いたアングルプレート１５を塩ビベルトへ接着で固定してリング状の２重帯をフックへ取り付ける準備をする。アングルプレート１５を両側から挟んでＢ補強プレート１４へネジ１７で共締めして取り付ける。これをＡ補強プレート１３へネジ１６を用いて共締めして２重帯が接続部材に取り付けられる。
【００３２】
図４を用いて第２実施例の消火器保持具について説明する。リング状のナイロンベルト３３の外側から塩ビベルト３４を接着して２重帯を形成する。これを、接続部材へ取り付けるには２重帯の両端を重ねた状態で接続部材３０の２重帯に対向する天井面を切り欠いた挿通部へ通し、その切り欠きへプレスプレート３１を取り付けたロックつまみ３２を嵌める。
【００３３】
プレスプレート３１に貼られた弾性体３５は弾性材料として例えばゴム材などを用い、さらに挿通部の底面の２重ベルトが接する面にも弾性を有する材料として例えばゴム材３６などを用いる。切り欠きへ嵌ったロックつまみを押すとプレスプレートと挿通部へ付着されたゴム材の弾性によりロックつまみが沈む。そこでロックつまみを回転させてロックつまみの円形からはみ出た延長部となるロック用突起を接続部材３０の天井面と２重帯の間へ入れる。そうするとゴムの弾性により２重帯はプレスプレートと挿通部へ貼られたゴム材の間で係止される。
【００３４】
第２実施例の接続部材の断面図の図５を使って第２実施例の接続部材の構成を説明する。接続部材には２重帯が重ねられた状態で挿通される。２重帯は接続部材の底面３０に貼られたゴムなどの弾性体３６と、プレスプレート３１に貼られたゴムなどの弾性体３５の間へ位置する。接続部材の天井に設けられた切り欠きへ嵌められるロックツマミ３２はロック用突起を有しておりロックつまみを押しながら回転させるとロック用突起が接続部材の天井と２重帯の間へ入り２重帯に圧力が加わり、２重帯が接続部材へ固定されるとともにリングが形成される。
【００３５】
第３実施例として図６に接着式の接続部材の断面図を示す。ナイロンベルト４３と塩ビベルト４４で構成される２重帯が接続部材の挿通部の中で突合され隙間を埋める保護部材４５とともに接続部材４０へ接着されて係止される。接続部材４０は壁面５０へ固定するための接着層４１を備える。
【００３６】
図７に２重帯のリングと接続部材を接着で固定した接着式の保持部材を示す。２重帯はナイロンベルト４３の外側に塩ビベルト４４を被せて接着し、これを接続部材へさらに接着で固定する。
【００３７】
図８に接着式の消火器保持具１０に消火器を設置した様子を示す。接続部材が簡素化されているので製造費用の低減が図れる。
【００３８】
図９に基台２０の構成を示す。基台のベース２１は剛性の高い材料として塩ビ材や金属を用いられ、上面となる表面に摩擦の大きい滑り止め部材２２が設けられ下面となる底面に接着部材２３が設けられる。基台は底面の接着部材２３により床などへ固定されるので表面の滑り止め部材２２により地震などによる揺れに対して床の動きに追随しやすい。そして消火器の筒を収めるリングは壁面に固定される接続部材の動きに追随するので消火器が安定する。
【００３９】
本発明に係る消火器保持具１０による消火器の保持性能の試験をしたところ、震度６強までの地震については消火器が安定に保持された。
【００４０】
図９を用いて消火器保持具を設置場所から外す際に用いる回転剥離について説明する。基台２０と床面との間の接着は接着剤や両面テープにより強固に行われており上方向に力を加えても剥がすことが難しい。しかしながら、接着面の接着力は剪断力に対しては弱いことに着目して基台の中央部の回転中心となる場所へ剥離治具を装着する回転剥離用穴を設けた。この孔へＬレンチなどの剥離治具を嵌めて水平面内で回転させることで容易に消火器保持具を床などの設置面から外すことができる。
【００４１】
本発明により様々な寸法の消火器を大きな外部振動に対しても安定し手保持する消火器保持具を提供することができる。
【符号の説明】
【００４２】
１  リング、２重帯
２  接続部材
２１  接着層
１１  ナイロンベルト
１２  塩ビベルト
１３  Ａ補強プレート
１４  Ｂ補強プレート
１５  アングルプレート
１６  ネジ１
１７  ネジ２
２０  基台
２１  ベース
２２  滑り止め部材
２３  接着層
３０  床面
３１  プレスプレート
３２  ロックつまみ
３３  ナイロンベルト
３４  塩ビベルト
３５、３６  ゴムパッド
３７  接着層
４０  接着式接続部材
４１  接着層
４３  ナイロンベルト
４４  塩ビベルト
５０  壁面
【図１】
2020124366.tif 000003
【図２】
2020124366.tif 000004
【図３】
2020124366.tif 000005
【図４】
2020124366.tif 000006
【図５】
2020124366.tif 000007
【図６】
2020124366.tif 000008
【図７】
2020124366.tif 000009
【図８】
2020124366.tif 000010
【図９】
2020124366.tif 000011